(57)【要約】【課題】  使用済み磁気カードを有効に再利用し得る磁気健康具を提供する。【解決手段】  使用済み磁気カード２と、該使用済み磁気カード２を保持する取付部３を有すると共に身体の一部に巻き付ける巻付体１と、を具備する。また、使用済み磁気カード２には、身体の形状に沿うように弯曲容易とする切目６が複数本形成されている。【選択図】  図２
0003103901.tif 000002
【実用新案登録請求の範囲】
【請求項１】
使用済み磁気カード（２）と、該使用済み磁気カード（２）を保持する取付部（３）を有すると共に身体（Ｂ）の一部に巻き付ける巻付体（１）と、を具備することを特徴とする磁気健康具。
【請求項２】
使用済み磁気カード（２）と、該使用済み磁気カード（２）を保持する取付部（３）を有すると共に身体（Ｂ）に着用する着用体（５）と、を具備することを特徴とする磁気健康具。
【請求項３】
使用済み磁気カード（２）と、該使用済み磁気カード（２）を保持する取付部（３）を有すると共に身体（Ｂ）の一部に巻き付ける巻付体（１）と、を具備し、
上記使用済み磁気カード（２）に、上記身体（Ｂ）の形状に沿うように弯曲容易とする切目（６）を複数本形成したことを特徴とする磁気健康具。
【考案の詳細な説明】
【技術分野】
【０００１】
本考案は、磁気健康具に関する。
【背景技術】
【０００２】
近年、例えば鉄道の定期券等に使用される磁気カードが多用されている。これらの磁気カードは、使用済みとなった場合、一般に投棄処分となっている。これにより、磁気カードの投棄物が多く発生しているので、省資源の面からこれら使用済みの磁気カードの再利用が望まれている。
そこで、従来、使用済みの磁気カードを再利用するために種々の方法が提案されている（例えば、特許文献１参照）。  
この特許文献１では、使用済み磁気カードを細かく粉砕して、ごみ袋用の材料として再利用する方法が開示されている。
ところで、適度な磁気強度を有する磁気には、血行を促進し、筋肉のコリを和らげる作用があることが広く知られている。そのため、従来では、磁石の磁気を利用する種々の磁気健康具が提案されている（例えば、特許文献２参照）。
この特許文献２では、ガードル及びブリーフに専用の磁石を多数埋め込むことによって、腰の血行を促進すると共に筋肉のコリを和らげる磁気健康具が開示されている。
【特許文献１】特開平１１−１１５０２９号公報
【特許文献２】特開２００３−１４７６０１号公報
【考案の開示】
【考案が解決しようとする課題】
【０００３】
しかしながら、上記特許文献２に開示された磁気健康具では、専用の磁石を多数使用しているので、その分、部品コストや製造コストが増加するという問題点がある。
また、上記特許文献１に開示された方法では、磁気カードが帯びた磁気を有効に再利用していないという問題点があった。
上記特許文献１及び上記特許文献２は、磁気に関する問題という点では共通する。
【０００４】
そこで、本考案は、使用済み磁気カードを有効に再利用し得る磁気健康具を提供することを目的とする。
【課題を解決するための手段】
【０００５】
上記の目的を達成するために、本考案に係る磁気健康具は、使用済み磁気カードと、該使用済み磁気カードを保持する取付部を有すると共に身体の一部に巻き付ける巻付体と、を具備するものである。
【０００６】
また、使用済み磁気カードと、該使用済み磁気カードを保持する取付部を有すると共に身体に着用する着用体と、を具備するものである。
【０００７】
また、使用済み磁気カードと、該使用済み磁気カードを保持する取付部を有すると共に身体の一部に巻き付ける巻付体と、を具備し、上記使用済み磁気カードに、上記身体の形状に沿うように弯曲容易とする切目を複数本形成したものである。
【考案の効果】
【０００８】
本考案に係る磁気健康具によれば、使用済み磁気カードをすぐに投棄処分とすることなく、再利用することができ、省資源化を図ることができる。  
【考案を実施するための最良の形態】
【０００９】
図１〜図３は、本考案の第一の実施の形態に係る磁気健康具を説明するための図である。
本考案の第一の実施の形態に係る磁気健康具は、図１に示すように、人の身体Ｂの一部に巻き付け固定して、磁気によって患部の血行を促進し、筋肉のコリをほぐすものである。この磁気健康具は、例えば10のような手首部ａに巻き付けるタイプや、11のような腰部ｂに巻き付けるタイプがある。これらの磁気健康具10及び磁気健康具11は、図２及び図３に示すように、使用済み磁気カード２と、使用済み磁気カード２を保持する取付部３を有すると共に身体Ｂの一部に巻き付ける巻付体１と、を具備する。そして、本考案は、このうち使用済み磁気カード２の磁気を、患部の血行を促進し、筋肉のコリをほぐすために利用するものである。
【００１０】
使用済み磁気カード２には種々の磁気カードが利用できるが、その中でも、例えば鉄道の定期券に使用され、磁気を有する部分が全面となっているプリペイド式カードが好適である。なぜなら、この全面磁気となっているプリペイド式カードの１枚分の磁気強度は、筋肉のコリをほぐすために適度な強さであるからである。磁気カードには、その他、銀行のキャッシュカード・クレジットカード等があるが、銀行のキャッシュカード・クレジットカードは、磁気を有する部分がストライプ状となっており、鉄道の定期券に使用されるプリペイド式カードよりも磁気強度が弱い（全面磁気のプリペイド式カードの37％程度）。即ち、銀行のキャッシュカード・クレジットカード１枚分の磁気強度は、患部の血行を促進させて筋肉のコリをほぐすためには、弱く不適である。
ところで、使用済み磁気カード２の磁気強度は、同じ種類のものでも、使用済みとなるまでの種々の使用条件によって、残存する磁気強度に各々ばらつきが生じている。そこで、本考案の実施形態では、使用済み磁気カード２の磁気強度が弱い場合、磁気の付加装置に使用済み磁気カード２を通すことによって、再度、使用済み磁気カード２の磁気強度を適度な強さに調節可能となっている。このように、再磁化することで、磁気カード２の略全面に磁化を行うことができて、健康増進のうえで一層効果的である。
【００１１】
図１及び図２に示す手首部ａに巻き付けるタイプである磁気健康具10に於て、巻付体１は、幅広の環状に形成されている。この巻付体１は伸縮性のある生地で作られており、手首部ａに装着されている間は手首部ａに密着するようになっている。また、この巻付体１を引き伸ばして内径を広げることによって、磁気健康具10の手首部ａに対する着脱が行われる。なお、この磁気健康具10の形状は、手首部ａだけでなく足首部（図示せず）に対して使用することも可能である。
また、使用済み磁気カード２を保持するための取付部３は、この巻付体１の身体Ｂと対向する側に１つ設けられている。巻付体１の身体Ｂと対向する側に取付部３を設けるのは、使用済み磁気カード２をより身体Ｂに接近させて、使用済み磁気カード２が有する磁気を有効に利用するためである。
取付部３は、１辺が開口した矩形状に形成されている。即ち、取付部３は開口部３ａを有した袋状となっており、この開口部３ａから使用済み磁気カード２を交換自在としている。これにより、磁気健康具10の長期間の使用により使用済み磁気カード２の磁気強度が低下した場合にも、容易に別の使用済み磁気カード２と取り替えることが可能となっている。
【００１２】
なお、取付部３は、矩形状に限るものでなく、使用済み磁気カード２が取付部３内で大きく移動しないような形状であれば、どのような形状とするも自由である。また、取付部３は、１辺が開口した袋状に限定されるものではない。例えば、図４に示すように、取付部３の周縁を全て縫合するも好ましい。この場合、激しく身体Ｂを動かしたとしても使用済み磁気カード２が取付部３から脱落するのを防止することができる。また、図２の開口部３ａを覆うと共に開閉可能な蓋部を設けるも好ましい。このようにすれば、激しく身体Ｂを動かしたとしても使用済み磁気カード２が取付部３から脱落するのを防止することができると共に、蓋部を開けて別の使用済み磁気カード２と容易に取り替えることが可能となる。
また、取付部３の数は、１つに限るものでなく、複数設けるも自由である。また、１つの取付部３に複数枚の使用済み磁気カード２を入れることも可能である。
【００１３】
次に、図１及び図３に示す腰部ｂに巻き付けるタイプである磁気健康具11に於て、巻付体１は帯状に形成されている。また、巻付体１は伸縮性のある生地で作られており、身体Ｂの腰部ｂのラインに合わせて巻き付けることが可能となっている。この巻付体１の両端部には、面状ファスナー部４が形成されている。巻付体１の一方の端部に形成された面状ファスナー部４と、巻付体１の他方の端部に形成された面状ファスナー部４とを身体Ｂの前面で重ね合わせることによって、磁気健康具11は腰部ｂの位置に固定される。この磁気健康具11は面状ファスナー方式を採用しているので、身体Ｂの腰部ｂに対して容易に着脱可能であると共に、腰部ｂの太さが異なる多数の人に容易に合わせることが可能となっている。
なお、磁気健康具11では身体Ｂの腰部ｂへの固定に面状ファスナー方式を採用したが、この方式に限るものではなく、ボタン・ファスナー等によって固定する方式を採用するも自由である。
【００１４】
また、使用済み磁気カード２を保持するための取付部３は、この巻付体１の身体Ｂと対向する側に夫々所定の間隔を隔てて一文字状に３つ配設されている。これらの取付部３…は、腰部ｂへの磁気健康具11の装着時に、背中側の患部に当たるように配設されている。夫々の取付部３は、図２に示した磁気健康具10の取付部３と同様の形状となっており、使用済み磁気カード２を交換自在としている。
なお、磁気健康具11に於ける取付部３の形状・数・配設位置は、図３に示したものに限らず、患部の大きさや位置に合わせて変更することが可能である。また、取付部３は、巻付体１に対して独立して移動できるように構成すれば、患部の状況に合わせて、巻付体１に対する配設位置を変更することが可能となる。例えば、袋状の取付部３を巻付体１に対して面状ファスナーにより着脱可能とすればよい。
【００１５】
次に、図５は、本考案の第二の実施の形態に係る磁気健康具を説明するための図である。
本考案の第二の実施の形態に係る磁気健康具は、第一実施形態の人の身体Ｂの一部に巻き付け固定するものとは異なり、磁気健康具を、人の身体Ｂに着用するものである。即ち、本考案の第二実施形態に係る磁気健康具は、使用済み磁気カード２と、使用済み磁気カード２を保持する取付部３を有すると共に身体Ｂに着用する着用体５と、を具備する。
着用体５は、伸縮性のある生地で作られており、その形状は、袖無しのシャツ状となっている。この着用体５の背中側かつ身体Ｂと対向する側には、取付部３が腰部と肩部に２個ずつ配設されている。この取付部３は、第一実施形態の取付部３と同様の形状となっており、使用済み磁気カード２が交換自在となっている。
なお、第二実施形態に係る磁気健康具は図５に示すような人の上半身に着用するものに限るものではなく、人の下半身に着用するように形成するも好ましい。また、靴下であっても良い。
【００１６】
上記第一実施形態及び第二実施形態に於ける使用済み磁気カード２は、そのまま加工せずに用いてもよいが、図６に示すように、複数本の切目６を形成して、身体Ｂの形状に沿うように弯曲容易とするとするのが好ましい。
【００１７】
以上のように、本考案に係る磁気健康具によれば、使用済み磁気カード２と、使用済み磁気カード２を保持する取付部３を有すると共に身体Ｂの一部に巻き付ける巻付体１と、を具備することによって、使用済み磁気カード２をすぐに投棄処分とすることなく、再利用することができる。これにより、省資源化を図ることができる。また、磁気健康具に使用される専用の磁石に代えて、使用済み磁気カード２の磁気を使用することができる。これにより、従来の磁気健康具と比較して、専用の多数の磁石を使用することがない分、磁気健康具の部品コスト及び製造コストを削減することができる。
【００１８】
また、種々の使用済み磁気カード２を使用することによって、磁気強度を容易に変更することができる。これにより、血行を促進すると共に筋肉のコリを和らげる適度な磁気強度を容易に得ることができる。
【００１９】
また、使用済み磁気カード２と、使用済み磁気カード２を保持する取付部３を有すると共に身体Ｂに着用する着用体５と、を具備することによって、より違和感なくかつ容易に使用済み磁気カード２の磁気を身体Ｂの患部に当てることができる。
また、使用済み磁気カード２に、身体Ｂの形状に沿うように弯曲容易とする切目６を複数本形成することによって、使用済み磁気カード２をより身体Ｂに密着させることができる。これにより、使用済み磁気カード２の磁気をより有効に使用することができる。
【図面の簡単な説明】
【００２０】
【図１】本考案の第一の実施の形態を示す磁気健康具を人が身に付けた図である。
【図２】手首部に使用される磁気健康具の斜視図である。
【図３】腰部に使用される磁気健康具の正面図である。
【図４】取付部の他の実施の形態を示す要部拡大斜視図である。
【図５】本考案の第二の実施の形態を示す磁気健康具の正面図である。
【図６】本考案の実施の一形態を示す使用済み磁気カードの斜視図である。
【符号の説明】
【００２１】
１  巻付体
２  磁気カード
３  取付部
５  着用体
６  切目
Ｂ  身体
【図１】
0003103901.tif 000003
【図２】
0003103901.tif 000004
【図３】
0003103901.tif 000005
【図４】
0003103901.tif 000006
【図５】
0003103901.tif 000007
【図６】
0003103901.tif 000008